(57)【要約】【課題】設置対象物が金属物であっても確実に広い指向性範囲を実現し、良好な情報送受信を行う。【解決手段】情報を記憶するＩＣ回路部１５０と、情報を送受信するタグアンテナＡＮＴ２とを有し、設置対象物１１０に取り付けられる無線タグ回路素子Ｔ２であって、タグアンテナＡＮＴ２は、隣り合う面同士が互いに略直交して連接するように設けられた３つ以上の誘電体の基板面１０１ａ，１０１ｂ，１０１ｃからなり、設置対象物１１０の頂点を覆うように設けられた誘電基板体１０１と、この誘電基板体１０１のうち、設置対象物１１０を覆う側と反対側に形成され、ＩＣ回路部１５０に接続される給電点Ｐｓを備えたマイクロストリップアンテナパターン１０５とを有するマイクロストリップアンテナである。【選択図】図７
2010087637.tif 000002
【特許請求の範囲】
【請求項１】
情報を記憶するＩＣ回路部と、情報を送受信するタグアンテナとを有し、設置対象物に取り付けられる無線タグ回路素子であって、
前記タグアンテナは、
隣り合う面同士が互いに略直交して連接するように設けられた３つ以上の誘電体の基板面からなり、前記設置対象物の端部又は頂点において当該設置対象物の複数面を同時に覆うように又は挟み込むように設けられた基板体と、
前記基板体のうち、前記設置対象物を覆う側又は挟み込む側と反対側に形成され、前記ＩＣ回路部に接続される給電点を備えた第１導体面と、
前記基板体のうち、前記設置対象物を覆う側又は挟み込む側に設けられた接地点と
を有するマイクロストリップアンテナである
ことを特徴とする無線タグ回路素子。
【請求項２】
前記基板体に備えられた前記３つ以上の基板面は、
略四角形形状の中間基板面と、
前記中間基板面の前記略四角形形状の４辺のうち１辺において連接し、面方向が前記中間基板面と略直交する第１基板面と、
前記中間基板面の前記略四角形形状の４辺のうち他の１辺において連接し、面方向が前記中間基板面と略直交する第２基板面と
を備えており、
前記第１導体面は、
少なくとも前記第１基板面から前記中間基板面を通り前記第２基板面にわたるようにしつつ、前記３つ以上の前記基板面にわたり設けられている
ことを特徴とする請求項１記載の無線タグ回路素子。
【請求項３】
前記基板体は、
前記第１基板面、前記中間基板面、及び前記第２基板面が、展開した状態において略Ｉ字状となるように構成されており、
前記給電点を、前記第１基板面、中間基板面又は前記第２基板面の前記第１導体面に設けたことを特徴とする請求項２記載の無線タグ回路素子。
【請求項４】
前記基板体は、
前記第１基板面、前記中間基板面、及び前記第２基板面が、展開した状態において略Ｌ字状となるように構成されており、
前記給電点を、前記中間基板面の前記第１導体面に設けたことを特徴とする請求項２記載の無線タグ回路素子。
【請求項５】
前記第１導体面は、
前記中間基板面において互いに一部を共有しつつ、前記中間基板面から少なくとも前記第１基板面にわたって延設された第１パターン部、及び、前記中間基板面から少なくとも前記第２基板面にわたって延設された第２パターン部、を備えており、
前記第１パターン部の前記延設方向寸法と、前記第２パターン部の前記延設方向寸法とが略等しくなっている
ことを特徴とする請求項４記載の無線タグ回路素子。
【請求項６】
前記第１パターン部は、
前記中間基板面に存在する部分の前記延設方向寸法と、前記第１基板面に存在する部分の前記延設方向寸法とが略等しくなっており、
前記第２パターン部は、
前記中間基板面に存在する部分の前記延設方向寸法と、前記第２基板面に存在する部分の前記延設方向寸法とが略等しくなっている
ことを特徴とする請求項５記載の無線タグ回路素子。
【請求項７】
前記給電点は、
前記第１パターン部のうち前記延設方向と直交する方向における略中央位置であると共に、前記第２パターン部のうち前記延設方向と直交する方向における略中央位置となる位置に、設けられている
ことを特徴とする請求項５又は請求項６記載の無線タグ回路素子。
【請求項８】
前記第１導体面は、
前記第１基板面と前記第２基板面とが近接する部分において、前記第１パターン部と前記第２パターン部との間に空隙部が介在するように、前記第１基板面及び前記第２基板面に設けられている
ことを特徴とする請求項７記載の無線タグ回路素子。
【請求項９】
前記基板体は、
前記中間基板面、前記第１基板面、前記第２基板面に加え、
前記第２基板面の前記中間基板面と反対側の部分に連接し、面方向が前記第２基板面と略直交する第３基板面を備えており、
前記第１導体面の前記第２パターン部は、
前記中間基板面から前記第２基板面を通り前記第３基板面にわたるように設けられている
ことを特徴とする請求項８記載の無線タグ回路素子。
【請求項１０】
前記給電点は、
前記第１パターン部のうち前記延設方向と直交する方向における略中央位置、若しくは、前記第２パターン部のうち前記延設方向と直交する方向における略中央位置に、設けられている
ことを特徴とする請求項５又は請求項６記載の無線タグ回路素子。
【請求項１１】
情報を記憶するＩＣ回路部と、情報を送受信するタグアンテナとを有し、設置対象物に取り付けられる無線タグ回路素子であって、
前記タグアンテナは、
互いに略直交して連接するように設けられた誘電体の第４基板面及び第５基板面からなり、前記設置対象物の端部において当該設置対象物の複数面を同時に挟み込むように設けられた基板体と、
前記基板体のうち、前記設置対象物を挟み込む側と反対側に形成され、前記ＩＣ回路部に接続される給電点を備えた第１導体面と、
前記基板体のうち、前記設置対象物を挟み込む側に設けられた接地点と
を有するマイクロストリップアンテナであり、
前記第１導体面は、
前記第４基板面から前記第５基板面にわたって延設され、前記第４基板面に存在する部分の前記延設方向寸法と前記第５基板面に存在する部分の前記延設方向寸法とが略等しい、第３パターン部を備えており、
前記給電点は、
前記第３パターン部のうち、前記延設方向と直交する方向における略中央位置に設けられている
ことを特徴とする無線タグ回路素子。
【請求項１２】
前記ＩＣ回路部は、
前記給電点に接続され、前記基板体の厚さ方向中間部に埋め込まれるように配置されている
ことを特徴とする請求項１乃至請求項１１のいずれか１項記載の無線タグ回路素子。
【請求項１３】
前記ＩＣ回路部と前記給電点の間に、
マッチング回路が配置されている
ことを特徴とする請求項１２記載の無線タグ回路素子。
【請求項１４】
前記マイクロストリップアンテナは、
前記基板体のうち、前記設置対象物を覆う側又は挟み込む側に形成された、第２導体面を備える
ことを特徴とする請求項１乃至請求項１３のいずれか１項記載の無線タグ回路素子。
【請求項１５】
前記基板体のうち前記設置対象物を覆う側又は挟み込む側を、前記設置対象物に固定するための固定手段を有する
ことを特徴とする請求項１乃至請求項１４のいずれか１項記載の無線タグ回路素子。
【発明の詳細な説明】
【技術分野】
【０００１】
本発明は、外部と情報の無線通信が可能である無線タグ回路素子に関するものである。
【背景技術】
【０００２】
小型の無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが知られている。無線タグは、情報を記憶するＩＣ回路部と情報の送受信を行うタグアンテナとからなる無線タグ回路素子を備えている。そして、無線タグが汚れている場合や見えない位置に配置されている場合であっても、リーダ／ライタ側よりＩＣ回路部の情報に対してアクセス（情報の読み取り／書き込み）が可能であり、既に種々の分野において実用化されている。
【０００３】
上記のような無線タグ回路素子において、例えば、タグアンテナに、平面アンテナの一種であるマイクロストリップアンテナを用いたものが、既に提唱されている（例えば、特許文献１参照）。
【０００４】
この従来技術では、誘電体上に、線路の特性インピーダンスの大きいマイクロストリップアンテナパターン（マイクロストリップライン）と、線路の特性インピーダンスの小さいマイクロストリップアンテナパターン（マイクロストリップライン不連続部）とを交互に配列することで、ＬとＣで構成されるローパスフィルターを形成している。給電点から励振された電磁波は、上記構成のマイクロストリップ線路を介して、最終のマイクロストリップアンテナパターンの先端に到達し、アンテナとしての特性を示すようになっている。
【特許文献１】特開２０００−２７８０２７号公報
【発明の開示】
【発明が解決しようとする課題】
【０００５】
近年、無線タグの利用の拡大によってその用途は多種多様となっており、それらの用途に応じた多様な態様の無線タグが望まれている。例えばＯＡ機器や、スチールデスク、スチール棚、バインダーの背表紙等、金属物に対し無線タグを設けたいというニーズが生じつつある。上記従来技術では、基板面を誘電体で構成することにより、マイクロストリップアンテナパターンと設置対象物との間に必ず誘電体が介在する。この結果、設置対象物が金属物であった場合でも、他のタイプのタグアンテナを用いる場合のように通信障害を招くことはない。しかしながら、アンテナ全体が略平板状の（平面的な）構造であるため、金属物に設置した場合には、マイクロストリップアンテナパターンからの指向性範囲が、主として設置対象物と反対側の比較的狭い範囲に限定されるという問題があった。
【０００６】
本発明の目的は、設置対象物が金属物であっても確実に広い指向性範囲を実現し、良好な情報送受信を行うことのできる無線タグ回路素子を提供することにある。
【課題を解決するための手段】
【０００７】
上記目的を達成するために、第１の発明は、情報を記憶するＩＣ回路部と、情報を送受信するタグアンテナとを有し、設置対象物に取り付けられる無線タグ回路素子であって、前記タグアンテナは、隣り合う面同士が互いに略直交して連接するように設けられた３つ以上の誘電体の基板面からなり、前記設置対象物の端部又は頂点において当該設置対象物の複数面を同時に覆うように又は挟み込むように設けられた基板体と、前記基板体のうち、前記設置対象物を覆う側又は挟み込む側と反対側に形成され、前記ＩＣ回路部に接続される給電点を備えた第１導体面と、前記基板体のうち、前記設置対象物を覆う側又は挟み込む側に設けられた接地点とを有するマイクロストリップアンテナであることを特徴とする。
【０００８】
本願第１発明の無線タグ回路素子は、タグアンテナとして、マイクロストリップアンテナと基板体とを備えたマイクロストリップアンテナを用いる。基板体は３つ以上の基板面で構成し、第１導体面（いわゆるマイクロストリップアンテナパターン）はその基板体のうち（無線タグ回路素子の）設置対象物とは反対側に設けている。基板面を誘電体で構成することにより、第１導体面は、設置対象物との間に必ず誘電体が介在することとなる。この結果、設置対象物が金属物であった場合でも、他のタイプのタグアンテナを用いる場合のように通信障害を招くことなく、信頼性の高い情報送受信を行うことができる。
【０００９】
一方、一般にマイクロストリップアンテナでは、基板の面方向に交差するように指向性範囲が広がる。本願第１発明では、第１導体面を上記のように基板体のうち設置対象物とは反対側に設けていることから、主として設置対象物と反対側に指向性範囲が広がる。このとき、３つ以上の基板面は、隣り合う基板面同士が互いに略直交して連接するように（言い換えれば立体的に接続するように）構成されており、それら基板面からなる基板体は、設置対象物の端部（又は頂点）を覆うように（又は挟み込むように）設けられている。したがって、基板体は、設置対象物の端部や頂点近傍に設けられる立体的な構造物となり、各基板面ごとで見ると設置対象物と反対側に指向性範囲が広がる特性となる。この結果、それら３つ以上の基板からなる基板体全体としては、上記の各特性を合成したものに対応した、上記設置対象物の端部や頂点近傍から設置対象物と反対側に向かって３次元的に広がる、複合立体形状の広い指向性範囲を実現することができる。
【００１０】
以上のようにして、本願第１発明においては、設置対象物が金属物であっても確実に広い指向性範囲を実現し、良好な情報送受信を行うことができる。
【００１１】
第２発明は、上記第１発明において、前記基板体に備えられた前記３つ以上の基板面は、略四角形形状の中間基板面と、前記中間基板面の前記略四角形形状の４辺のうち１辺において連接し、面方向が前記中間基板面と略直交する第１基板面と、前記中間基板面の前記略四角形形状の４辺のうち他の１辺において連接し、面方向が前記中間基板面と略直交する第２基板面とを備えており、前記第１導体面は、少なくとも前記第１基板面から前記中間基板面を通り前記第２基板面にわたるようにしつつ、前記３つ以上の前記基板面にわたり設けられていることを特徴とする。
【００１２】
これにより、互いに直交しつつ連接する第１基板面、中間基板面、第２基板面に沿った、複合立体形状の広い指向性範囲を確実に実現することができる。
【００１３】
第３発明は、上記第２発明において、前記基板体は、前記第１基板面、前記中間基板面、及び前記第２基板面が、展開した状態において略Ｉ字状となるように構成されており、前記給電点を、前記第１基板面、中間基板面又は前記第２基板面の前記第１導体面に設けたことを特徴とする。
【００１４】
展開状態において略Ｉ字状であることにより、（展開しない）通常の３次元的形状においては、第１基板面、中間基板面、第２基板面で、略コの字となるような形状とすることが可能である。これにより、これら３つの基板面で設置対象物の端部を挟み込む（又は覆う）ようにして配置することができる。
【００１５】
この場合、第１基板面を上面（水平面）として配置すると、中間基板面を鉛直方向の側面として配置でき、第２基板面を下面（水平面）として配置することができる。すなわちこの場合、マイクロストリップアンテナとして、上面から上方に広がる指向性範囲と、側面から側方に広がる指向性範囲と、下面から下方に広がる指向性範囲とを合成したものに対応した、上記設置対象物の端部近傍から外方へ向かうような複合立体形状の広い指向性範囲を実現することができる。
【００１６】
第４発明は、上記第２発明において、前記基板体は、前記第１基板面、前記中間基板面、及び前記第２基板面が、展開した状態において略Ｌ字状となるように構成されており、前記給電点を、前記中間基板面の前記第１導体面に設けたことを特徴とする。
【００１７】
展開状態において略Ｌ字状であることにより、（展開しない）通常の３次元的形状においては、第１基板面のうち中間基板面へ連接する部分に隣接する部分と、第２基板面のうち中間基板面へ連接する部分に隣接する部分とが、互いに付き合わせられるような形状（例えば中間基板面、第１基板面、第２基板面が、直方体の１頂点を含む３つの面を構成するような形状）とすることが可能である。そして、上記１頂点が設置対象物のコーナー（頂点）に該当するように、基板体を当該設置対象物の頂点を覆う（又は挟み込む）ようにして配置することができる。
【００１８】
この場合、中間基板面を上面（水平面）として配置すると、第１基板面及び第２基板面は互いに直交する２側面（鉛直面）として配置される。すなわちこの場合、マイクロストリップアンテナとして、上面から上方に広がる指向性範囲と、２つの側面から側方にそれぞれ広がる指向性範囲とを合成したものに対応した、上記設置対象物のコーナー近傍から外方へ向かうような複合立体形状の広い指向性範囲を実現することができる。
【００１９】
第５発明は、上記第４発明において、前記第１導体面は、前記中間基板面において互いに一部を共有しつつ、前記中間基板面から少なくとも前記第１基板面にわたって延設された第１パターン部、及び、前記中間基板面から少なくとも前記第２基板面にわたって延設された第２パターン部、を備えており、前記第１パターン部の前記延設方向寸法と、前記第２パターン部の前記延設方向寸法とが略等しくなっていることを特徴とする。
【００２０】
これにより、第１パターン部によるアンテナの共振周波数と、第２パターン部によるアンテナの共振周波数とを略一致させることができる。そしてこのように２つのパターン部による周波数を略一致させる（周波数を大きく異ならせずに狭い範囲に絞る）ことにより、アンテナ全体の感度を向上することができる。      
【００２１】
第６発明は、上記第５発明において、前記第１パターン部は、前記中間基板面に存在する部分の前記延設方向寸法と、前記第１基板面に存在する部分の前記延設方向寸法とが略等しくなっており、前記第２パターン部は、前記中間基板面に存在する部分の前記延設方向寸法と、前記第２基板面に存在する部分の前記延設方向寸法とが略等しくなっていることを特徴とする。
【００２２】
これにより、第１パターン部において中間基板面に沿った方向におけるアンテナ感度と第１基板面に沿った方向におけるアンテナ感度とを略等しくすることができる。同様に、第２パターン部において中間基板面に沿った方向におけるアンテナ感度と第２基板面に沿った方向におけるアンテナ感度とを略等しくすることができる。以上の結果、アンテナ全体として、各方向に対するアンテナ感度を均等化することができる。
【００２３】
第７発明は、上記第５又は第６発明において、前記給電点は、前記第１パターン部のうち前記延設方向と直交する方向における略中央位置であると共に、前記第２パターン部のうち前記延設方向と直交する方向における略中央位置となる位置に、設けられていることを特徴とする。
【００２４】
これにより、第１及び第２パターン部において、給電点を基準に、延設方向と直交する方向（言い換えれば幅方向）における一方側及び他方側でそれぞれ流れる電流を互いに略相殺することができる。この結果、主として各パターン部の延設方向寸法によってアンテナの共振周波数やアンテナ感度を設定することができる。
【００２５】
第８発明は、上記第７発明において、前記第１導体面は、前記第１基板面と前記第２基板面とが近接する部分において、前記第１パターン部と前記第２パターン部との間に空隙部が介在するように、前記第１基板面及び前記第２基板面に設けられていることを特徴とする。
【００２６】
これにより、第１基板面において延設方向に延びる第１パターン部と第２基板面において延設方向に延びる第２パターンとが、互いに導通するのを防止することができる。この結果、主として、各パターン部の延設方向寸法によってアンテナの共振周波数やアンテナ感度を確実に設定することができる。
【００２７】
第９発明は、上記第８発明において、前記基板体は、前記中間基板面、前記第１基板面、前記第２基板面に加え、前記第２基板面の前記中間基板面と反対側の部分に連接し、面方向が前記第２基板面と略直交する第３基板面を備えており、前記第１導体面の前記第２パターン部は、前記中間基板面から前記第２基板面を通り前記第３基板面にわたるように設けられていることを特徴とする。
【００２８】
本願第９発明においては、第２基板面に対しさらに直交して連接する第３基板面を設け、その第３基板面まで第１導体面の第２パターン部を延設する。これにより、さらに広い複合立体形状の指向性範囲を実現することができる。
【００２９】
第１０発明は、上記第５又は第６発明において、前記給電点は、前記第１パターン部のうち前記延設方向と直交する方向における略中央位置、若しくは、前記第２パターン部のうち前記延設方向と直交する方向における略中央位置に、設けられていることを特徴とする。
【００３０】
これにより、第１若しくは第２パターン部において、給電点を基準に、延設方向と直交する方向（言い換えれば幅方向）における一方側及び他方側でそれぞれ流れる電流を互いに略相殺することができる。この結果、主として各パターン部の延設方向寸法によってアンテナの共振周波数やアンテナ感度を設定することができる。
【００３１】
上記目的を達成するために、第１１発明は、情報を記憶するＩＣ回路部と、情報を送受信するタグアンテナとを有し、設置対象物に取り付けられる無線タグ回路素子であって、前記タグアンテナは、互いに略直交して連接するように設けられた誘電体の第４基板面及び第５基板面からなり、前記設置対象物の端部を挟み込むように設けられた基板体と、前記基板体のうち、前記設置対象物を挟み込む側と反対側に形成され、前記ＩＣ回路部に接続される給電点を備えた第１導体面と、を有するマイクロストリップアンテナであり、前記第１導体面は、前記第４基板面から前記第５基板面にわたって延設され、前記第４基板面に存在する部分の前記延設方向寸法と前記第５基板面に存在する部分の前記延設方向寸法とが略等しい、第３パターン部を備えており、前記給電点は、前記第３パターン部のうち、前記延設方向と直交する方向における略中央位置に設けられていることを特徴とする。
【００３２】
本願第１１発明の無線タグ回路素子は、タグアンテナとして、マイクロストリップアンテナと基板体とを備えたマイクロストリップアンテナを用いる。基板体は第４基板面と第５基板面の２つの基板面で構成し、第１導体面はその基板体のうち（無線タグ回路素子の）設置対象物とは反対側に設けている。基板面を誘電体で構成することにより、第１導体面は、設置対象物との間に必ず誘電体が介在することとなる。この結果、設置対象物が金属物であった場合でも、他のタイプのタグアンテナを用いる場合のように通信障害を招くことなく、信頼性の高い情報送受信を行うことができる。
【００３３】
一方、一般にマイクロストリップアンテナでは、基板の面方向に交差するように指向性範囲が広がる。本願第１１発明では、第１導体面を上記のように基板体のうち設置対象物とは反対側に設けていることから、主として設置対象物と反対側に指向性範囲が広がる。このとき、第４基板面及び第５基板面は、隣り合う基板面同士が互いに略直交して連接するように（言い換えれば立体的に接続するように）構成されており、それら基板面からなる基板体は、設置対象物の端部）を挟み込むように設けられている。したがって、基板体は、設置対象物の端部近傍に設けられる立体的な構造物となり、各基板面ごとで見ると設置対象物と反対側に指向性範囲が広がる特性となる。
【００３４】
この結果、それら２つの基板からなる基板体全体としては、上記の各特性を合成したものに対応した、上記設置対象物の端部から設置対象物と反対側に向かって３次元的に広がる、複合立体形状の広い指向性範囲を実現することができる。具体的には、例えば第４基板面を上面（水平面）として配置すると、第５基板面を側面（鉛直面）として配置可能である。この場合、マイクロストリップアンテナとして、上面から上方に広がる指向性範囲と、側面から側方に広がる指向性範囲とを合成したものに対応した、上記設置対象物の端部近傍から外方へ向かうような複合立体形状の広い指向性範囲を実現することができる。
【００３５】
このとき、給電点を、第３パターン部のうち、幅方向（延設方向と直交する方向）における略中央位置に設けている。これにより、第３パターン部において、給電点を基準に、幅方向における一方側と他方側とでそれぞれ流れる電流を互いに略相殺できるので、主として延設方向寸法によってアンテナの共振周波数やアンテナ感度を設定できる。そして、第３パターン部において第４基板面の存在する部分と第５基板面の存在する部分との延設方向寸法を略等しくすることにより、第３パターン部のうち、第４基板面に沿った方向におけるアンテナ感度と第５基板面に沿った方向におけるアンテナ感度とを互いに略等しくすることができる。この結果、アンテナ全体として、各方向に対するアンテナ感度を均等化することができる。
【００３６】
以上のようにして、本願第１１発明においては、設置対象物が金属物であっても確実に広い指向性範囲を実現し、良好な情報送受信を行うことができる。
【００３７】
第１２発明は、上記第１乃至第１１発明のいずれかにおいて、前記ＩＣ回路部は、前記給電点に接続され、前記基板体の厚さ方向中間部に埋め込まれるように配置されていることを特徴とする。
【００３８】
これにより、アンテナ外部に突出させることなく、一体的にＩＣ回路部をアンテナ内部に組み込んだ無線タグ回路素子とすることができる。
【００３９】
第１３発明は、上記第１２発明において、前記ＩＣ回路部と前記給電点の間にマッチング回路が配置されていることを特徴とする。
【００４０】
これにより、最適な給電位置を選びつつ給電インピーダンスを調整することができ、アンテナの効率を上げることができる。
【００４１】
第１４発明は、上記第１乃至第１３発明のいずれかにおいて、前記マイクロストリップアンテナは、前記基板体のうち、前記設置対象物を覆う側又は挟み込む側に形成された、第２導体面を備えることを特徴とする。
【００４２】
設置対象物側に第２導体面（いわゆる地板）を設けない場合、金属物である設置対象物を地板の代わりに用いてアンテナとして機能させる必要があるが、本願第１２発明においては、設置対象物側に第２導体面を設けることにより、必ずしもそのような必要はない。すなわち、金属物のみならず、非金属物の設置対象物に対して無線タグ回路素子を設置した場合であっても、確実に広い指向性範囲を実現し、良好な情報送受信を行うことができる。
【００４３】
第１４発明は、上記第１乃至第１５発明のいずれかにおいて、前記基板体のうち前記設置対象物を覆う側又は挟み込む側を、前記設置対象物に固定するための固定手段を有することを特徴とする。
【００４４】
これにより、設置対象物に対し、無線タグ回路素子全体を確実に固定することができる。固定手段としては、ネジやボルト等の締結具や、接着剤層を用いることができる。
【発明の効果】
【００４５】
本発明によれば、設置対象物が金属物であっても確実に広い指向性範囲を実現し、良好な情報送受信を行うことができる。
【発明を実施するための最良の形態】
【００４６】
以下、本発明の実施の形態を図面を参照しつつ説明する。
【００４７】
図１は、本実施形態による無線タグ回路素子の全体構造を表す斜視図である。
【００４８】
図１において、この無線タグ回路素子Ｔ１は、特に図示しない無線タグ通信装置のアンテナと非接触で信号の送受信を行うものであり、概略的に２平面が直交する形状に形成されて情報を送受信するタグアンテナ（マイクロストリップアンテナ）ＡＮＴ１と、このタグアンテナＡＮＴ１の内部に埋設されたＩＣ回路部１５０（後述の図２参照）とを備えている。なお、以下の説明では、説明の便宜上、図示の姿勢を基準として「左」「右」「上」「下」「水平面」「鉛直面」「側面」等の方向を表す語を適宜使用するが、本実施形態の構成及び各部の配置は、そのような姿勢や方向に限定されるものではない。すなわち、図示の姿勢から回転させたりひっくり返したりした姿勢においても使用可能である（他の変形例等もすべて同様）。
【００４９】
タグアンテナＡＮＴ１は、２つの平板体が互いに直交する配置で連接する形状の誘電基板体（基板体）１を有している。誘電基板体１は、図示の姿勢において上方に水平で配置された水平基板面（第４基板面）１ａと、側方に鉛直に配置された鉛直基板面（第５基板面）１ｂとから構成されている。これら水平基板面１ａ及び鉛直基板面１ｂは、それぞれ例えばセラミックなどの誘電体を材料として略正方形の平板形状となっており、誘電基板体１の全体はそれら基板面１ａ，１ｂが互いに直交する配置で一つの辺を連接した一体物として形成されている。なお、以下、これら直交する基板面１ａ，１ｂのうち、９０°の角度（図１参照）をなす側を「内角側」、この内角側と基板面１ａ，１ｂを挟んで反対側（すなわち２７０°の角度をなす側）を「外角側」と称する。
【００５０】
本実施形態では、誘電基板体１における水平基板面１ａ及び鉛直基板面１ｂの９０°の角度をなす内角側の２表面（どちらも図中の裏側の面）で、当該無線タグ回路素子Ｔ１の設置対象物の端部を挟み込み、これによって当該無線タグ回路素子Ｔ１が設置対象物に設置される（後述の図５参照）。
【００５１】
そしてこの誘電基板体１において、水平基板面１ａ及び鉛直基板面１ｂのそれぞれの外角側の面、つまり上記設置面と逆側の２表面には、導体金属を蒸着などにより薄膜形成したマイクロストリップアンテナパターン５（第１導体面）が設けられており、水平基板面１ａと鉛直基板面１ｂにわたって連続した一つのマイクロストリップアンテナパターン５が延設するように形成されている。また、水平基板面１ａ上のマイクロストリップアンテナパターン５の中央位置には後述する給電点Ｐｓが設定されている。これら誘電基板体１とマイクロストリップアンテナパターン５とで、タグアンテナＡＮＴ１を構成している。
【００５２】
図２は、図１中のＩＩ-ＩＩ断面による無線タグ回路素子Ｔ１の断面図である。この図２において、誘電基板体１の水平基板面１ａの内部に上記ＩＣ回路部１５０が埋設されており、このＩＣ回路部１５０が信号線６、マッチング回路部Ｍａ、信号線６′及び上記給電点Ｐｓを介してマイクロストリップアンテナパターン５に電気的に接続している。また水平基板面１ａの内角側の表面（つまりマイクロストリップアンテナパターン５と逆側の面で図中の下側の面）には金属薄板の面端子７が表設されており、ＩＣ回路部１５０は接地線８及び接地点Ｐｅを介してこの面端子７に電気的に接続している。マッチング回路部Ｍａは、マイクロストリップアンテナパターン５の給電点ＰｓでのインピーダンスとＩＣ回路部のインピーダンスを整合するものであり、通常コイル（Ｌ），コンデンサ（Ｃ）などの素子を用いるが、信号線６，６′にスタブ、メアンダパターンを設けるなどしても実現可能である。
【００５３】
そして、水平基板面１ａの内角側表面で上記面端子７が表設されている以外の領域には、適宜の粘着材からなる接着剤層（固定手段）９が被覆されている。特に図示していないが、この接着剤層９は誘電基板体１が有する他の基板面（つまり本実施形態では鉛直基板面１ｂ）の内角側表面の全体にも被覆されている（以下、各変形例についても同様）。そして、当該無線タグ回路素子Ｔ１を設置対象物に設置する際には、各基板面１ａ，１ｂの内角側表面で接着剤層９を設置対象物の端部表面に貼り付けることで、無線タグ回路素子Ｔ１を安定して固定することができる。なお、このように無線タグ回路素子Ｔ１を接着固定する前の状態では、各基板面１ａ，１ｂの接着剤層９の表面全体を剥離材層（剥離紙など。特に図示せず）などで覆って保護しておけばよい。また、図２以外では、図示の煩雑を避けるために接着剤層９を省略している。
【００５４】
ここで、本実施形態の無線タグ回路素子Ｔ１を設置する設置対象物は、例えば、少なくとも設置部分の表面が金属材料で構成されている。図示する例では、設置対象物としての金属板Ｍの表面に本実施形態の無線タグ回路素子Ｔ１を設置することで、当該金属板Ｍが面端子７に接触し、接地点Ｐｅ及び接地線８を介してＩＣ回路部１５０と電気的に接続する。この接続は、通信に使用する周波数で接続できていれば良く直流的に接続している必要はないため、容量結合状態でもよい。この状態では当該金属板Ｍがいわゆる地板として機能することになり、上述したように誘電体で構成する誘電基板体１の各基板面１ａ，１ｂは、外角側表面のマイクロストリップアンテナパターン５と内角側表面の金属板Ｍ（地板）に挟まれる構成となる。これにより、それら金属板Ｍ、誘電基板体１、及びマイクロストリップアンテナパターン５の全体が、いわゆるマイクロストリップアンテナ（パッチアンテナ）として機能することが可能となる。
【００５５】
図３は、無線タグ回路素子Ｔ１の機能的構成の一例を表すブロック図である。
【００５６】
図３において、無線タグ回路素子Ｔ１は、上述したように上記タグアンテナＡＮＴ１と、このタグアンテナＡＮＴ１に接続された上記ＩＣ回路部１５０とを有している。なお、接地線８については図示を省略している。
【００５７】
ＩＣ回路部１５０は、タグアンテナＡＮＴ１により受信された質問波（応答要求コマンドを含む信号）を整流する整流部１５２と、この整流部１５２により整流された質問波のエネルギを蓄積し駆動電源とするための電源部１５３と、上記タグアンテナＡＮＴ１により受信された質問波からクロック信号を抽出して制御部１５７に供給するクロック抽出部１５４と、所定の情報信号を記憶し得るメモリ部１５５と、上記タグアンテナＡＮＴ１に接続された変復調部１５６と、上記メモリ部１５５、クロック抽出部１５４、及び変復調部１５６等を介し上記無線タグ回路素子Ｔ１の作動を制御するための上記制御部１５７とを備えている。
【００５８】
変復調部１５６は、タグアンテナＡＮＴ１により受信された上記無線タグ通信装置のアンテナからの質問波の復調を行い、また、上記制御部１５７からの返信信号を変調し、タグアンテナＡＮＴ１より応答波（タグＩＤなどを含む信号）として送信する。
【００５９】
クロック抽出部１５４は受信した信号からクロック成分を抽出し、受信した信号のクロック成分の周波数に対応したクロックを制御部１５７に供給する。
【００６０】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナＡＮＴ１から返信する制御等の基本的な制御を実行する。
【００６１】
図４は、本実施形態におけるマイクロストリップアンテナパターン５の寸法設定を説明するための展開図である。なお、この図４は、マイクロストリップアンテナパターン５を連続させた状態のままタグアンテナＡＮＴ１を各基板面１ａ，１ｂ単位で展開した図である（対応する後述の図８、図１１、図１４においても同様）。
【００６２】
図４において、本実施形態の無線タグ回路素子Ｔ１におけるマイクロストリップアンテナパターン（第３パターン部）５は、概略的には水平基板面１ａと鉛直基板面１ｂにわたる延設方向と平行な長辺を有する長方形形状（略Ｉ字状）に形成されている。
【００６３】
水平基板面１ａ上の給電点Ｐｓは、マイクロストリップアンテナパターン５の延設方向と直交する方向、つまり長方形形状に形成されたマイクロストリップアンテナパターン５の幅方向（短辺方向）の中央位置に設けられている（図示の寸法Ｗ１を参照）。このようにすると、給電点Ｐｓを通過する高周波電流のうち、マイクロストリップアンテナパターン５の幅方向に流れる電流成分ＩＷは給電点Ｐｓを中心として逆位相で同じ大きさで流れるため相殺されてしまうことになる。つまり、長方形形状のマイクロストリップアンテナパターン５において、高周波電流はマイクロストリップアンテナパターン５の長手方向に沿った電流成分ＩＬのみ流れることになり、このためマイクロストリップアンテナパターン５の長辺の長さＬ１のみがアンテナの共振周波数を決定する。この例では、マイクロストリップアンテナパターン５の長辺の長さＬ１が誘電基板体１の誘電率を考慮した通信電波の波長λ１の略２分の１の長さに形成されている。
【００６４】
そして、マイクロストリップアンテナパターン５の長辺の長さＬ１のうち、水平基板面１ａに存在する部分と鉛直基板面１ｂに存在する部分のそれぞれの長辺方向の長さが同じ長さＬ２（＝Ｌ１／２）で等しくなっている。
【００６５】
以上のように構成した本実施形態のタグアンテナＡＮＴ１によれば、以下の効果を得ることができる。
【００６６】
すなわち、水平基板面１ａ及び鉛直基板面１ｂを誘電体で構成することにより、マイクロストリップアンテナパターン５と設置対象物１０との間に必ず誘電体が介在することとなる。この結果、設置対象物１０が金属物であった場合でも、他のタイプのタグアンテナを用いる場合のように通信障害を招くことなく、信頼性の高い情報送受信を行うことができる。
【００６７】
また、マイクロストリップアンテナパターン５を上記のように誘電基板体１のうち設置対象物１０とは反対側に設けていることから、主として設置対象物１０と反対側に指向性範囲が広がる。このとき、水平基板面１ａ及び鉛直基板面１ｂは、互いに略直交して連接するように（言い換えれば立体的に接続するように）構成されており、それら基板面１ａ，１ｂからなる誘電基板体１は、設置対象物１０の端部を挟み込むように設けられている。したがって、誘電基板体１は、設置対象物１０の端部近傍に設けられる立体的な構造物となり、各基板面１ａ，１ｂごとで見ると設置対象物１０と反対側に指向性範囲が広がる特性となる。
【００６８】
図５（ａ）〜（ｃ）は、上記した無線タグ回路素子Ｔ１の指向性範囲２０を示す３面図である。図５（ａ）は図１中の矢視Ｖａから見た平面図であり、図５（ｂ）は図１中の矢視Ｖｂから見た正面図であり、図５（ｃ）は図１中の矢視Ｖｃから見た側面図である。なお、図示する例では、直交する２枚の金属板が一体に連接して設置対象物１０を構成し、この端部に無線タグ回路素子Ｔ１が設置されている状態を示している。
【００６９】
これら図５（ａ）〜図５（ｃ）に示すように、タグアンテナＡＮＴ１で電波信号を送受信する際には、水平基板面１ａと鉛直基板面１ｂのそれぞれのマイクロストリップアンテナパターン５の平面に直交する方向で生じた指向性範囲が合成するようにして、全体の指向性範囲２０（通信可能領域）が形成される。つまり、図５（ｃ）に示すように、直交する配置の水平基板面１ａ及び鉛直基板面１ｂのそれぞれのマイクロストリップアンテナパターン５に均等にわたるように、一つの大きな指向性範囲２０が形成される。この指向性範囲２０は、水平基板面１ａの平面に直交する方向と、鉛直基板面１ｂの平面に直交する方向と、その間の方向とを含む、広い角度範囲で形成されることになり、（各部材の材質や寸法設定にもよるが）およそ１８０°〜２１０°の角度範囲で形成することができる。
【００７０】
すなわち、２つの基板面１ａ，１ｂを含むタグアンテナＡＮＴ１全体としては、上記の各特性（各基板面１ａ，１ｂごとで見ると設置対象物１０と反対側に指向性範囲が広がる特性）を合成したものに対応した、上記設置対象物１０の端部から設置対象物１０と反対側に向かって３次元的に広がる、複合立体形状の広い指向性範囲２０を実現することができる。
【００７１】
具体的には、例えば上記図１に示したように水平基板面１ａを上面（水平面）として配置すると、鉛直基板面１ｂを側面（鉛直面）として配置可能である。この場合、マイクロストリップアンテナとして、上面から上方に広がる指向性範囲と、側面から側方に広がる指向性範囲とを合成したものに対応した、上記設置対象物１０の端部近傍から外方へ向かうような複合立体形状の広い指向性範囲２０を実現することができる。
【００７２】
以上のようにして、本実施形態においては、設置対象物１０が金属物であっても確実に広い指向性範囲を実現し、良好な情報送受信を行うことができる。
【００７３】
また、この実施形態では特に、給電点Ｐｓを、長方形形状に形成されたマイクロストリップアンテナパターン５のうち、幅方向（延設方向と直交する方向）における略中央位置に設けている。これにより、前述したように、マイクロストリップアンテナパターン５において、給電点Ｐｓを基準に、幅方向における一方側と他方側とでそれぞれ流れる電流を互いに略相殺できるので、主としてマイクロストリップアンテナパターン５全体の延設方向寸法Ｌ１によってアンテナの共振周波数やアンテナ感度を設定できる。そして、マイクロストリップアンテナパターン５において水平基板面１ａの存在する部分の延設方向寸法Ｌ２と鉛直基板面１ｂの存在する部分の延設方向寸法Ｌ２を略等しくする（つまり各Ｌ２＝Ｌ１／２）ことにより、マイクロストリップアンテナパターン５のうち、水平基板面１ａに沿った方向におけるアンテナ感度と鉛直基板面１ｂに沿った方向におけるアンテナ感度とを互いに略等しくすることができる。この結果、タグアンテナＡＮＴ１全体として、各方向に対するアンテナ感度を均等化することができる。
【００７４】
また、この実施形態では特に、ＩＣ回路部１５０及びマッチング回路部Ｍａが給電点Ｐｓに接続され、誘電基板体１の厚さ方向中間部に埋め込まれるように配置されていることにより、ＩＣ回路部１５０をタグアンテナＡＮＴ１の外部に突出させることなく、一体的にタグアンテナＡＮＴ１内部に組み込んだ無線タグ回路素子Ｔ１とすることができる。
【００７５】
また、この実施形態では特に、誘電基板体１のうち設置対象物１０の端部を挟み込む側の表面に、設置対象物１０に固定するための接着剤層９を設けていることにより、設置対象物１０に対し、無線タグ回路素子Ｔ１全体を確実に固定することができる。なお、このような無線タグ回路素子Ｔ１の固定手段として、上記接着剤層９の他にも、例えば誘電基板体１のいずれか又は両方の基板面１ａ，１ｂと設置対象物１０を貫通して締結するネジやボルトなどの締結具を用いてもよい（特に図示せず）。
【００７６】
なお、上記実施形態では、タグアンテナＡＮＴ１を金属物の設置対象物１０に設置することを前提として誘電基板体１のうち設置対象物１０の端部を挟み込む側の表面（内角側表面）に地板を設けていない構成としていたが、これに限られず、当該内角側表面の全体に地板としての金属面（＝第２導体面。特に図示せず）を備えるようにしてもよい。これにより、金属物のみならず、非金属物の設置対象物に対して無線タグ回路素子Ｔ１を設置した場合であっても、確実に広い指向性範囲２０を実現し、良好な情報送受信を行うことができる。
【００７７】
また、上記実施形態では、２つの基板面１ａ，１ｂが連接している端部において直角の角部を形成していたが、これに限られず、例えば図６に示すようにラウンド（又は面取り）を形成するようにしてもよい。
【００７８】
なお、本発明は、上記実施形態に限られるものではなく、その趣旨及び技術思想を逸脱しない範囲で種々の変形が可能である。以下、そのような変形例を順を追って説明する。
【００７９】
（１）略Ｌ字状に形成されたマイクロストリップアンテナパターンを３面で用いる場合
上記実施形態では、展開状態において長方形形状（略Ｉ字状）のマイクロストリップアンテナパターン５を設けたタグアンテナＡＮＴ１を説明したが、これに限られず、例えば、展開状態において略Ｌ字状に形成されたマイクロストリップアンテナパターンを用いてもよい。
【００８０】
図７（ａ）及び図７（ｂ）は、そのような変形例による無線タグ回路素子Ｔ２の全体構造を表す斜視図である。図７（ａ）はタグアンテナの頂部側から見た斜視図であり、図７（ｂ）はタグアンテナの凹部側から見た斜視図である。（なお、構造の理解容易化のために、図７（ａ）とは上下関係を逆にし、図７（ａ）の天地をひっくり返した姿勢で図示している）。なお、図中、各部材の配置関係を確認するための参照用に、符号を付した３つの頂点Ｐ２ａ，Ｐ２ｂ，Ｐ２ｃを示している。上記実施形態と同等の部分については同じ符号を付し、適宜説明を省略又は簡略化する。
【００８１】
図７（ａ）及び図７（ｂ）において、本変形例の無線タグ回路素子Ｔ２は、概略的に３平面が直交する形状に形成されて情報を送受信するタグアンテナ（マイクロストリップアンテナ）ＡＮＴ２と、このタグアンテナＡＮＴ２の内部に埋設されたＩＣ回路部１５０（上記図２参照）とを備えている。
【００８２】
タグアンテナＡＮＴ２は、３つの平板体が互いに直交する配置で連接する形状の誘電基板体（基板体）１０１を有している。誘電基板体１０１は、図７（ａ）の姿勢において上方に水平配置された水平基板面（中間基板面）１０１ａと、左側方に鉛直で配置された左側方基板面（第１基板面）１０１ｂと、右側方に鉛直で配置された右側方基板面（第２基板面）１０１ｃとから構成されている。これら水平基板面１０１ａ、左側方基板面１０１ｂ、及び右側方基板面１０１ｃは、それぞれ例えばセラミックなどの誘電体を材料として略正方形の平板形状となっており、誘電基板体１０１の全体はそれら基板面１０１ａ，１０１ｂ，１０１ｃが互いに直交する配置で一つの辺を連接した一体物として形成されている。なお、上記実施形態と同様、直交する２つの基板面１０１ａ，１０１ｂのうち、９０°の角度（図７（ｂ）参照）をなす側を「内角側」反対側を「外角側」と称する。基板面１０１ｂ，１０１ｃや基板面１０１ｃ，１０１ａに関しても同様に称する。
【００８３】
本変形例では、誘電基板体１０１における水平基板面１０１ａ、左側方基板面１０１ｂ、及び右側方基板面１０１ｃのそれぞれの内角側の表面、つまり隣り合う基板面どうしで互いに９０°の角度をなす３表面（図７（ｂ）中に示す３表面）で、当該無線タグ回路素子Ｔ２の設置対象物の頂点を覆い、これによって当該無線タグ回路素子Ｔ２が設置対象物に設置される（後述の図９参照）。
【００８４】
そしてこの誘電基板体１０１において、各基板面１０１ａ，１０１ｂ，１０１ｃのそれぞれの外角側の面、つまり上記設置面と逆側の３表面に、上記マイクロストリップアンテナパターン５と同様のマイクロストリップアンテナパターン１０５（第１導体面）が設けられており、左側方基板面１０１ｂから水平基板面１０１ａを通り右側方基板面１０１ｃにわたるように形成されている。左側方基板面１０１ｂと右側方基板面１０１ｃとのそれぞれのマイクロストリップアンテナパターン１０５は、空隙部１１１（＝パターン不存在部。図７（ａ）参照）を隔てて離間した配置となっており、互いに直接的に接続しないようになっている。また、水平基板面１０１ａ上のマイクロストリップアンテナパターン１０５の中央位置に給電点Ｐｓが設定されている。これら誘電基板体１０１とマイクロストリップアンテナパターン１０５とで、タグアンテナＡＮＴ２を構成している。その他の構成は、上記実施形態と同様であり、説明を省略する。
【００８５】
図８は、本変形例におけるマイクロストリップアンテナパターン１０５の寸法設定を説明するための展開図であり、上記実施形態の図４に対応する図である。
【００８６】
図８において、本変形例の無線タグ回路素子Ｔ２におけるマイクロストリップアンテナパターン１０５は、概略的には、水平基板面１０１ａ及び左側方基板面１０１ｂにわたる延設方向と平行な長辺を有する長方形形状に形成された第１パターン部１０２ａと、水平基板面１０１ａ及び右側方基板面１０１ｃにわたる延設方向と平行な長辺を有する長方形形状に形成された第２パターン部１０２ｂとが、水平基板面１０１ａにおいて一部を共有するよう重ね合わせた略Ｌ字状に形成されている。
【００８７】
水平基板面１０１ａ上の給電点Ｐｓは、各パターン部１０２ａ，１０２ｂの延設方向と直交する方向、つまり各パターン部１０２ａ，１０２ｂの幅方向（短辺方向）の中央位置に設けられている（図示の寸法Ｗ１を参照）。このようにすると、それぞれ長方形形状の各パターン部１０２ａ，１０２ｂにおいて、高周波電流は各パターン部１０２ａ，１０２ｂの長手方向に沿った二つの電流成分ＩＬが流れ、各パターン部１０２ａ，１０２ｂの長辺の長さＬ１がアンテナの共振周波数を決定する。この例では、各パターン部１０２ａ，１０２ｂの長辺の長さが等しく、誘電基板体１０１の誘電率を考慮した通信電波の波長λ１の略２分の１の長さＬ１に形成されている。
【００８８】
そして、各パターン部１０２ａ，１０２ｂの長辺の長さＬ１のうち、各基板面１０１ａ，１０１ｂ，１０１ｃに存在する部分のそれぞれの長辺方向の長さが同じ長さＬ２（＝Ｌ１／２）で等しくなっている。
【００８９】
以上のように構成した本変形例のタグアンテナＡＮＴ２によっても、上記実施形態と同様の効果を得る。
【００９０】
すなわち、各基板面１０１ａ，１０１ｂ，１０１ｃを誘電体で構成することにより、マイクロストリップアンテナパターン１０５と設置対象物１１０との間に必ず誘電体が介在するので、設置対象物１１０が金属物であった場合でも、他のタイプのタグアンテナを用いる場合のように通信障害を招くことなく、信頼性の高い情報送受信を行うことができる。
【００９１】
また、マイクロストリップアンテナパターン１０５を上記のように誘電基板体１０１のうち設置対象物１１０とは反対側に設けていることから、主として設置対象物１１０と反対側に指向性範囲が広がる。このとき、基板面１０１ａ，１０１ｂ，１０１ｃは、隣り合う基板面同士が互いに略直交して連接するように（言い換えれば立体的に接続するように）構成されており、それら基板面１０１ａ，１０１ｂ，１０１ｃからなる誘電基板体１０１は、設置対象物１１０の端部（又は頂点）を覆うように設けられている。したがって、誘電基板体１０１は、設置対象物１１０の頂点近傍に設けられる立体的な構造物となり、各基板面１０１ａ，１０１ｂ，１０１ｃごとで見ると設置対象物１１０と反対側に指向性範囲が広がる特性となる。
【００９２】
図９（ａ）〜（ｃ）は本変形例の無線タグ回路素子Ｔ２の指向性を示す３面図であり、上記実施形態の図５（ａ）〜（ｃ）に対応する図である。図９（ａ）は図７（ａ）中の矢視ＩＸａから見た平面図であり、図９（ｂ）は図７（ａ）中の矢視ＩＸｂから見た正面図であり、図９（ｃ）は図７（ａ）中の矢視ＩＸｃから見た側面図である。なお、図示する例では、直交する３枚の金属板が一体に連接して設置対象物１１０を構成し、この頂点に無線タグ回路素子Ｔ２が覆うように設置されている状態を示している。
【００９３】
これら図９（ａ）〜（ｃ）に示すように、タグアンテナＡＮＴ２で電波信号を送受信する際には、各基板面１０１ａ，１０１ｂ，１０１ｃのそれぞれのマイクロストリップアンテナパターン１０５の平面に直交する方向で生じた指向性範囲が合成するようにして全体の指向性範囲（通信可能範囲）１２０Ａ，１２０Ｂが形成されるようになる。つまり、第１パターン部１０２ａにおいては、直交する配置の水平基板面１０１ａ及び左側方基板面１０１ｂのそれぞれのマイクロストリップアンテナパターン１０５に均等にわたるように一つの大きな指向性範囲１２０Ａが形成される。この指向性範囲１２０Ａは、水平基板面１０１ａの平面に直交する方向と、左側方基板面１０１ｂの平面に直交する方向と、その間の方向を含む、広い角度範囲で形成されることになり、（各部材の材質や寸法設定にもよるが）およそ１８０°〜２１０°の角度範囲で形成することができる。そして、第２パターン部１０２ｂにおいても、水平基板面１０１ａ及び右側方基板面１０１ｃのそれぞれのマイクロストリップアンテナパターン１０５に均等にわたるように広い角度範囲の指向性範囲１２０Ｂが形成される。
【００９４】
上記の結果、それら３つの基板面１０１ａ，１０１ｂ，１０１ｃからなる誘電基板体１０１全体としては、上記２つの指向性範囲１２０Ａ，１２０Ｂの特性を合成したものに対応した、上記設置対象物１１０頂点近傍から設置対象物１１０と反対側のコーナー外方に向かって３次元的に広がる、複合立体形状の広い指向性範囲１２０を実現することができる。
【００９５】
以上のようにして、本変形例では、設置対象物１１０が金属物であっても確実に広い指向性範囲１２０を実現し、良好な情報送受信を行うことができる。
【００９６】
また、この変形例では特に、マイクロストリップアンテナパターン１０５は、水平基板面１０１ａにおいて互いに一部を共有する第１パターン部１０２ａと第２パターン部１０２ｂのそれぞれの長辺全体の長さ寸法Ｌ１が等しくなっている。これにより、第１パターン部１０２ａによるアンテナの共振周波数と、第２パターン部１０２ｂによるアンテナの共振周波数とを一致させることができる。そしてこのように２つのパターン部１０２ａ，１０２ｂによる周波数を一致させる（周波数を大きく異ならせずに狭い範囲に絞る）ことにより、タグアンテナＡＮＴ２全体の感度を向上することができる。
【００９７】
また、この変形例では特に、第１パターン部１０２ａは、水平基板面１０１ａに存在する部分の延設方向寸法Ｌ２と、左側方基板面１０１ｂに存在する部分の延設方向寸法Ｌ２とが等しくなっており、第２パターン部１０２ｂは、水平基板面１０１ａに存在する部分の延設方向寸法Ｌ２と、右側方基板面１０１ｃに存在する部分の前記延設方向寸法Ｌ２とが等しくなっている。これにより、第１パターン部１０２ａにおいて水平基板面１０１ａに沿った方向におけるアンテナ感度と左側方基板面１０１ｂに沿った方向におけるアンテナ感度とを略等しくすることができる。同様に、第２パターン部１０２ｂにおいて水平基板面１０１ａに沿った方向におけるアンテナ感度と右側方基板面１０１ｃに沿った方向におけるアンテナ感度とを略等しくすることができる。以上の結果、タグアンテナＡＮＴ２全体として、各方向に対するアンテナ感度を均等化することができる。
【００９８】
また、この変形例では特に、上記実施形態と同様、給電点Ｐｓが、第１パターン部１０２ａのうち延設方向と直交する方向における略中央位置であると共に、第２パターン部１０２ｂのうち延設方向と直交する方向における略中央位置となる位置に設けられている。これにより、主として各パターン部１０２ａ，１０２ｂの延設方向寸法Ｌ１によってアンテナの共振周波数やアンテナ感度を設定することができる。
【００９９】
また、この変形例では特に、マイクロストリップアンテナパターン１０５は、左側方基板面１０１ｂと右側方基板面１０１ｃとが近接する部分において、第１パターン部１０２ａと第２パターン部１０２ｂとの間に空隙部１１１が介在するように、左側方基板面１０１ｂ及び右側方基板面１０１ｃに設けられている。これにより、左側方基板面１０１ｂにおいて延設方向に延びる第１パターン部１０２ａと右側方基板面１０１ｃにおいて延設方向に延びる第２パターン部１０２ｂとが、互いに導通するのを防止することができる。この結果、主として、各パターン部１０２ａ，１０２ｂの延設方向寸法Ｌ１によってアンテナの共振周波数やアンテナ感度を確実に設定することができる。
【０１００】
（２）略Ｉ字状に形成されたマイクロストリップアンテナパターンを３面で用いる場合
上記実施形態や、上記（１）の変形例の構成以外にも、さらに、例えば展開状態において略Ｉ字状に形成されたマイクロストリップアンテナパターンを３面の基板面上に設けるようにしてもよい。
【０１０１】
図１０は、そのような変形例による無線タグ回路素子Ｔ３の全体構造を表す斜視である。図１０（ａ）はタグアンテナを見下ろすように俯瞰した斜視図であり、図１０（ｂ）は裏面側（図１０（ａ）の図中奥側）からタグアンテナを見上げるようにした斜視図である。なお、図中、各部材の配置関係を確認するための参照用に、符号を付した３つの頂点Ｐ３ａ，Ｐ３ｂ，Ｐ３ｃを示している。上記実施形態や（１）の変形例と同等の部分については同じ符号を付し、適宜説明を省略又は簡略化する。
【０１０２】
図１０（ａ）及び図１０（ｂ）において、本変形例の無線タグ回路素子Ｔ３は、タグアンテナＡＮＴ３の誘電基板体２０１が３つの基板面を有しており、一つの基板面において反対側に位置する２つの辺にそれぞれ他の２つの基板面が直交して連接する形状となっている。すなわち、誘電基板体２０１は、図１０（ａ）の姿勢において上方に水平配置された上基板面（第１基板面）２０１ａと、側方に鉛直配置された中基板面（中間基板面）２０１ｂと、下方に水平配置された下基板面（第２基板面）２０１ｃとから構成されている。これら上基板面２０１ａ、中基板面２０１ｂ、及び下基板面２０１ｃは、それぞれ例えばセラミックなどの誘電体を材料として略正方形の平板形状となっており、誘電基板体２０１の全体はそれら基板面２０１ａ，２０１ｂ，２０１ｃのうち隣り合う２つの基板面どうしが互いに直交する配置で一つの辺を連接した一体物として形成されている。なお、上記実施形態や（１）の変形例と同様、直交する２つの基板面２０１ａ，２０１ｂのうち、９０°の角度（図１０（ｂ）参照）をなす側を「内角側」反対側を「外角側」と称する。基板面２０１ｂ，２０１ｃに関しても同様に称する。
【０１０３】
本変形例では、誘電基板体２０１における上基板面２０１ａ、中基板面２０１ｂ、及び下基板面２０１ｃのそれぞれの内角側の表面、つまり隣り合う基板面どうしで互いに９０°の角度をなす３表面（図１０中のＦ３ａ，Ｆ３ｂ，Ｆ３ｃの面）で、当該無線タグ回路素子Ｔ３の設置対象物の端部を挟み込み、これによって当該無線タグ回路素子Ｔ３が設置対象物に設置される（後述の図１２参照）。
【０１０４】
そしてこの誘電基板体２０１において、各基板面２０１ａ，２０１ｂ，２０１ｃのそれぞれの外角側の面、つまり上記設置面と逆側の３表面にマイクロストリップアンテナパターン２０５（第１導体面）が設けられており、上基板面２０１ａから中基板面２０１ｂを通り下基板面２０１ｃにわたるように形成されている。これら誘電基板体２０１とマイクロストリップアンテナパターン２０５とで、タグアンテナＡＮＴ３を構成している。また、上基板面２０１ａ上のマイクロストリップアンテナパターン２０５の中央位置に給電点Ｐｓが設定されている。その他の構成は、上記実施形態と同様であり、説明を省略する。
【０１０５】
図１１は、本変形例におけるマイクロストリップアンテナパターン２０５の寸法設定を説明するための展開図であり、上記図４や図８に対応する図である。
【０１０６】
図１１において、本変形例の無線タグ回路素子Ｔ３におけるマイクロストリップアンテナパターン２０５は、概略的には、上基板面２０１ａから中基板面２０１ｂを介して下基板面２０１ｃにわたる延設方向と平行な長辺を有する、長方形形状（略Ｉ字状）に形成されている。
【０１０７】
上基板面２０１ａ上の給電点Ｐｓは、マイクロストリップアンテナパターン２０５の延設方向と直交する方向、つまり長方形形状に形成されたマイクロストリップアンテナパターン２０５の幅方向（短辺方向）の中央位置に設けられている（図示の寸法Ｗ１を参照）。この結果、前述と同様、マイクロストリップアンテナパターン２０５の長辺の長さＬ３のみが通信電波の波長を決定する。この例では、マイクロストリップアンテナパターン２０５の長辺の長さＬ３が誘電基板体２０１の誘電率を考慮した際の通信電波の波長λ２の略２分の１の長さに形成されている。
【０１０８】
そして、マイクロストリップアンテナパターン２０５の長辺の長さＬ３のうち、上基板面２０１ａに存在する部分と下基板面２０１ｃに存在する部分のそれぞれの長辺方向の長さが同じ長さＬ２で等しくなっており、それらの間に位置する中基板面２０１ｂに存在する部分は長辺方向で長さＬ４となっている（つまりＬ３＝Ｌ２＋Ｌ４＋Ｌ２）。
【０１０９】
上記構成により、本変形例のタグアンテナＡＮＴ３によっても、上記実施形態や（１）の変形例と同様、設置対象物が金属物であった場合でも、通信障害を招くことなく信頼性の高い情報送受信を行うことができ、また広い指向性範囲を得ることができる。
【０１１０】
図１２（ａ）〜（ｄ）は本変形例の無線タグ回路素子Ｔ３の指向性を示す４面図であり、上記図５（ａ）〜（ｃ）や上記図９（ａ）〜（ｃ）に対応する図である。図１２（ａ）は図１０（ａ）中の矢視ＸＩＩａから見た平面図であり、図１２（ｂ）は図１０（ａ）中の矢視ＸＩＩｂから見た正面図であり、図１２（ｃ）は図１０（ａ）中の矢視ＸＩＩｃから見た側面図であり、図１２（ｄ）は図１０（ｂ）中の矢視ＸＩＩｄから見た底面図である。なお、図示する例では、３枚の金属板が一体に連接して断面が略コの字状に形成されたいわゆる溝型鋼が設置対象物２１０を構成し、この端部を無線タグ回路素子Ｔ３が挟み込むように設置されている状態を示している。
【０１１１】
これら図１２（ａ）〜（ｄ）に示すように、タグアンテナＡＮＴ３で電波信号を送受信する際には、中間に位置する中基板面２０１ｂの全体を覆いつつ、対向する配置の２つの上基板面２０１ａと下基板面２０１ｃのそれぞれのマイクロストリップアンテナパターン２０５に均等にわたるように一つの大きな指向性範囲２２０が形成される。この指向性範囲２２０は、上基板面２０１ａの平面に直交する方向と、下基板面２０１ｃの平面に直交する方向と、その間の方向を含む広い角度範囲で形成されることになり、（各部材の材質や寸法設定にもよるが）およそ２４０°〜３００°の角度範囲で形成することができる。
【０１１２】
上記の結果、上基板面２０１から上方に広がる指向性範囲と、中基板面２０１ｂから側方に広がる指向性範囲と、下基板面２０１ｃから下方に広がる指向性範囲とを合成したものに対応した、上記設置対象物２１０の端部近傍から外方へ向かうような複合立体形状の広い指向性範囲２２０を実現することができる。したがって、本変形例においても、上記実施形態や（１）の変形例と同様、設置対象物２１０が金属物であっても確実に広い指向性範囲２２０を実現し、良好な情報送受信を行うことができる。
【０１１３】
また、この変形例では特に、上記実施形態と同様、給電点Ｐｓが、マイクロストリップアンテナパターン２０５のうち延設方向と直交する方向における略中央位置に設けられている。これにより、マイクロストリップアンテナパターン２０５において、給電点Ｐｓを基準に、延設方向と直交する方向（言い換えれば幅方向）における一方側及び他方側でそれぞれ流れる電流を互いに略相殺することができる。この結果、主として略Ｉ字状のマイクロストリップパターンの延設方向寸法によってアンテナの共振周波数やアンテナ感度を設定することができる。
【０１１４】
（３）略Ｌ字状に形成されたマイクロストリップアンテナパターンを４面で用いる場合
上記第１変形例では、展開状態において略Ｌ字状に形成されたマイクロストリップアンテナパターン１０５を３面の基板面１０１ａ，１０１ｂ，１０１ｃ上に設けたが、これに限られず、例えば略Ｌ字状に形成されたマイクロストリップアンテナパターンを４面の基板面上に設けるようにしてもよい。
【０１１５】
図１３は、そのような変形例による無線タグ回路素子Ｔ４の全体構造を表す斜視である。図１３（ａ）はタグアンテナを見下ろすように俯瞰した斜視図であり、図１３（ｂ）は裏面側（図１３（ａ）の図中奥側）からタグアンテナを見上げるようにした斜視図である。なお、図中、各部材の配置関係を確認するための参照用に、符号を付した３つの頂点Ｐ４ａ，Ｐ４ｂ，Ｐ４ｃを示している。上記実施形態や（１）（２）の変形例と同等の部分については同じ符号を付し、適宜説明を省略又は簡略化する。
【０１１６】
図１３（ａ）及び図１３（ｂ）において、本変形例の無線タグ回路素子Ｔ４は、タグアンテナＡＮＴ４の誘電基板体３０１が４つの基板面を有している。すなわち、上記（２）の変形例におけるコの字形状の３つの基板面に対し、さらにその側面にもう１つの基板面が他の３つの基板面に連接する形状となっている。誘電基板体３０１は、図１３（ａ）の姿勢において上方に水平配置された頂部基板面（中間基板面）３０１ａと、右手前側に鉛直配置された前部基板面（第１基板面）３０１ｂと、左側方に鉛直配置された側部基板面（第２基板面）３０１ｃと、下方に水平配置された底部基板面（第３基板面）３０１ｄとから構成されている。これら頂部基板面３０１ａ、前部基板面３０１ｂ、側部基板面３０１ｃ、及び底部基板面３０１ｄは、それぞれ例えばセラミックなどの誘電体を材料として略正方形の平板形状となっており、誘電基板体３０１の全体は、それら基板面３０１ａ，３０１ｂ，３０１ｃ，３０１ｄのうち隣り合う２つの基板面どうしが互いに直交する配置で一つの辺を連接した一体物として形成されている。なお、本変形例では後述するマイクロストリップアンテナパターン３０５の寸法設定の関係から、上記コの字形状を形成する３つの基板面３０１ａ，３０１ｃ，３０１ｄについては、それらの延設方向と直交する方向の寸法が上記第１変形例の場合と比較して約２倍の長さとなっている。また、上記実施形態や（１）（２）の変形例と同様、直交する２つの基板面３０１ａ，３０１ｂのうち、９０°の角度（図１３（ｂ）参照）をなす側を「内角側」反対側を「外角側」と称する。基板面３０１ａ，３０１ｃ、基板面３０１ｃ，３０１ｄに関しても同様に称する。
【０１１７】
本変形例では、誘電基板体３０１における頂部基板面３０１ａ、前部基板面３０１ｂ、側部基板面３０１ｃ、及び底部基板面３０１ｄのそれぞれの内角側の表面、つまり隣り合う基板面どうしで互いに９０°の角度をなす４表面（図１３（ｂ）中に示すＦ４ａ，Ｆ４ｂ，Ｆ４ｃ，Ｆ４ｄの面）で、当該無線タグ回路素子Ｔ４の設置対象物の２頂点を覆い、これによって当該無線タグ回路素子Ｔ４が設置対象物に設置される（後述の図１５参照）。
【０１１８】
そしてこの誘電基板体３０１において、各基板面３０１ａ，３０１ｂ，３０１ｃ，３０１ｄのそれぞれの外角側の面、つまり上記設置面と逆側の４表面にマイクロストリップアンテナパターン３０５（第１導体面）が設けられており、底部基板面３０１ｄから側部基板面３０１ｃ及び頂部基板面３０１ａを通り前部基板面３０１ｂにわたるように形成されている。これら誘電基板体３０１とマイクロストリップアンテナパターン３０５とで、タグアンテナＡＮＴ４を構成している。また、底部基板面３０１ｄ及び側部基板面３０１ｃを通るマイクロストリップアンテナパターン３０５と、前部基板面３０１ｂのマイクロストリップアンテナパターン３０５は、空隙部３１１を隔てて離間した配置となっており、互いに直接的に接続しないようになっている。また、頂部基板面３０１ａ上のマイクロストリップアンテナパターン３０５の中央位置に給電点Ｐｓが設定されている。その他の構成は、上記実施形態と同様であり、説明を省略する。
【０１１９】
図１４は、本変形例におけるマイクロストリップアンテナパターン３０５の寸法設定を説明するための展開図であり、上記図４、図８、及び図１１に対応する図である。
【０１２０】
図１４において、本変形例の無線タグ回路素子Ｔ４におけるマイクロストリップアンテナパターン３０５は、概略的には、頂部基板面３０１ａ及び前部基板面３０１ｂにわたる延設方向と平行な長辺を有する長方形形状に形成された第１パターン部３０２ａと、頂部基板面３０１ａから側部基板面３０１ｃを通り底部基板面３０１ｄにわたる延設方向と平行な長辺を有する長方形形状に形成された第２パターン部３０２ｂとが、頂部基板面３０１ａにおいて一部を共有するよう重ね合わせた略Ｌ字状に形成されている。
【０１２１】
頂部基板面３０１ａ上の給電点Ｐｓは、各パターン部３０２ａ，３０２ｂの延設方向と直交する方向、つまり各パターン部３０２ａ，３０２ｂの幅方向（短辺方向）の中央位置に設けられている（図示の寸法Ｗ１を参照）。この結果、前述と同様、各パターン部３０２ａ，３０２ｂの長辺の長さＬ３のみが通信電波の波長を決定する。この例では、各パターン部３０２ａ，３０２ｂの長辺の長さが、それぞれ同じ誘電基板体３０１を考慮した際の通信電波の波長λ２の２分の１の長さＬ３に形成されている。
【０１２２】
そして、第２パターン部３０２ｂの長辺の長さＬ３のうち、頂部基板面３０１ａに存在する部分と底部基板面３０１ｄに存在する部分のそれぞれの長辺方向の長さが同じ長さＬ２で等しくなっており、それらの間に位置する側部基板面３０１ｃに存在する部分は長辺方向で長さＬ４となっている（つまりＬ３＝Ｌ２＋Ｌ４＋Ｌ２）。また、第１パターン部３０２ａの長辺の長さＬ３のうち、前部基板面３０１ｂに存在する部分の長辺方向の長さが上記長さＬ２と等しくなっており、頂部基板面３０１ａに存在する部分は長辺方向で長さＬ５となっている（つまりＬ３＝Ｌ５＋Ｌ２＝Ｌ２＋Ｌ４＋Ｌ２）。
【０１２３】
上記構成により、本変形例のタグアンテナＡＮＴ４によっても、上記実施形態や（１）（２）（３）の変形例と同様、設置対象物が金属物であった場合でも、通信障害を招くことなく信頼性の高い情報送受信を行うことができ、また広い指向性範囲を得ることができる。
【０１２４】
図１５は（ａ）〜（ｄ）は本変形例の無線タグ回路素子Ｔ４の指向性を示す４面図であり、上記図５（ａ）〜（ｃ）や上記図９（ａ）〜（ｃ）や上記図１２（ａ）〜（ｄ）に対応する図である。図１５（ａ）は図１３（ａ）中の矢視ＸＶａから見た平面図であり、図１５（ｂ）は図１３（ａ）中の矢視ＸＶｂから見た正面図であり、図１５（ｃ）は図１３（ａ）中の矢視ＸＶｃから見た側面図であり、図１５（ｄ）は図１３（ｂ）中の矢視ＸＶｄから見た底面図である。なお、図示する例では、直方体形状に形成された金属体が設置対象物３１０を構成し、このうちの隣り合う２頂点を含む角部を無線タグ回路素子Ｔ４が挟み込むように設置されている状態を示している。
【０１２５】
これら図１５（ａ）〜（ｄ）に示すように、タグアンテナＡＮＴ４で電波信号を送受信する際には、各パターン部３０２ａ，３０２ｂで生じた指向性範囲３２０Ａ，３２０Ｂが合成するようにして全体の指向性範囲が形成されるようになる。つまり、第２パターン部３０２ｂにおいては、中間に位置する側部基板面３０１ｃの全体を覆いつつ、対向する配置の２つの頂部基板面３０１ａと底部基板面３０１ｄのそれぞれのマイクロストリップアンテナパターン３０５に均等にわたるように一つの大きな指向性範囲３２０Ｂが形成される。この指向性範囲３２０Ｂは、頂部基板面３０１ａの平面に直交する方向と、底部基板面３０１ｄの平面に直交する方向と、その間の方向を含む広い角度範囲で形成されることになり、（各部材の材質や寸法設定にもよるが）およそ２４０°〜２７０°の角度範囲で形成することができる。また、第１パターン部３０２ａにおいても、直交する配置の頂部基板面３０１ａ及び前部基板面３０１ｂのそれぞれのマイクロストリップアンテナパターン３０５にわたるように一つの大きな指向性範囲３２０Ａが形成される。但し、頂部基板面３０１ａ上に存在するマイクロストリップアンテナパターン３０５の延設方向の長さＬ５が、前部基板面３０１ｂ上に存在するマイクロストリップアンテナパターン３０５の延設方向の長さＬ２より長い分だけ、頂部基板面３０１ａに広く偏るように指向性範囲３２０Ａが形成される。
【０１２６】
上記の結果、それら４つの基板面３０１ａ，３０１ｂ，３０１ｃ，３０１ｄからなる基板体３０１全体としては、上記２つの指向性範囲３２０Ａ，３２０Ｂの特性を合成したものに対応した、上記第１変形例よりさらに広い複合立体形状の指向性範囲３２０を実現することができる。したがって、本変形例では、設置対象物３１０が金属物であっても確実に広い指向性範囲３２０を実現し、良好な情報送受信を行うことができる。
【０１２７】
なお、以上では、無線タグ回路素子Ｔ１，Ｔ４の設置対象物として、金属板や薄型鋼や金属体の場合を例示したが、ＯＡ機器や、スチールデスク、スチール棚、バインダーの背表紙等、その他の金属物に対しても設置することができ、この場合も同様の効果を得る。
【０１２８】
また、以上において、図３等の各図中に示す矢印は信号の流れの一例を示すものであり、信号の流れ方向を限定するものではない。
【０１２９】
また、以上既に述べた以外にも、上記実施形態や各変形例による手法を適宜組み合わせて利用しても良い。
【０１３０】
その他、一々例示はしないが、本発明は、その趣旨を逸脱しない範囲内において、種々の変更が加えられて実施されるものである。
【図面の簡単な説明】
【０１３１】
【図１】本発明の実施形態の無線タグ回路素子の全体構造を表す斜視図である。
【図２】図１中のＩＩ-ＩＩ断面による無線タグ回路素子の断面図である。
【図３】無線タグ回路素子の機能的構成の一例を表すブロック図である。
【図４】マイクロストリップアンテナパターンの寸法設定を説明するための展開図である。
【図５】無線タグ回路素子の指向性を示す３面図である。
【図６】２つの基板面間にラウンドを形成した変形例の全体構造を斜視で示す図である。
【図７】略Ｌ字状に形成されたマイクロストリップアンテナパターンを３面で用いる変形例による無線タグ回路素子の全体構造を表す斜視図である。
【図８】マイクロストリップアンテナパターンの寸法設定を説明するための展開図である。
【図９】無線タグ回路素子の指向性を示す３面図である。
【図１０】略Ｉ字状に形成されたマイクロストリップアンテナパターンを３面で用いる変形例による無線タグ回路素子の全体構造を表す斜視図である。
【図１１】マイクロストリップアンテナパターンの寸法設定を説明するための展開図である。
【図１２】無線タグ回路素子の指向性を示す４面図である。
【図１３】略Ｌ字状に形成されたマイクロストリップアンテナパターンを４面で用いる変形例による無線タグ回路素子の全体構造を表す斜視図である。
【図１４】マイクロストリップアンテナパターンの寸法設定を説明するための展開図である。
【図１５】無線タグ回路素子の指向性を示す４面図である。
【符号の説明】
【０１３２】
１                誘電基板体（基板体）
１ａ              水平基板面（第４基板面）
１ｂ              鉛直基板面（第５基板面）
５                マイクロストリップアンテナパターン（第１導体面）
９                接着剤層（固定手段）
１０              設置対象物
２０              指向性範囲
１０１            誘電基板体（基板体）
１０１ａ          水平基板面（中間基板面）
１０１ｂ          左側方基板面（第１基板面）
１０１ｃ          右側方基板面（第２基板面）
１０２ａ          第１パターン部
１０２ｂ          第２パターン部
１０５            マイクロストリップアンテナパターン（第１導体面）
１１０            設置対象物
１１１            空隙部
１２０            指向性範囲
１２０Ａ，Ｂ      指向性範囲
１５０            ＩＣ回路部
２０１            誘電基板体（基板体）
２０１ａ          上基板面（第１基板面）
２０１ｂ          中基板面（中間基板面）
２０１ｃ          下基板面（第２基板面）
２０５            マイクロストリップアンテナパターン（第１導体面）
２１０            設置対象物
２２０            指向性範囲
３０１            誘電基板体（基板体）
３０１ａ          頂部基板面（中間基板面）
３０１ｂ          前部基板面（第１基板面）
３０１ｃ          側部基板面（第２基板面）
３０１ｄ          底部基板面（第３基板面）
３０２ａ          第１パターン部
３０２ｂ          第２パターン部
３０５            マイクロストリップアンテナパターン（第１導体面）
３１０            設置対象物
３１１            空隙部
３２０Ａ，Ｂ      指向性範囲
Ｔ１〜４          無線タグ回路素子
ＡＮＴ１          タグアンテナ（マイクロストリップアンテナ）
ＡＮＴ２          タグアンテナ（マイクロストリップアンテナ）
ＡＮＴ３          タグアンテナ（マイクロストリップアンテナ）
ＡＮＴ４          タグアンテナ（マイクロストリップアンテナ）
Ｐｓ              給電点
Ｐｅ              接地点
【図１】
2010087637.tif 000003
【図２】
2010087637.tif 000004
【図３】
2010087637.tif 000005
【図４】
2010087637.tif 000006
【図５】
2010087637.tif 000007
【図６】
2010087637.tif 000008
【図７】
2010087637.tif 000009
【図８】
2010087637.tif 000010
【図９】
2010087637.tif 000011
【図１０】
2010087637.tif 000012
【図１１】
2010087637.tif 000013
【図１２】
2010087637.tif 000014
【図１３】
2010087637.tif 000015
【図１４】
2010087637.tif 000016
【図１５】
2010087637.tif 000017